(57)【要約】【課題】複数の電極体を有する構成において、簡易に、電極体に集電体を接続することができる蓄電素子を提供する。【解決手段】第一方向に並列に配置される複数の電極体である第一電極体１４０及び第二電極体１５０と、正極集電体１２０とを備える蓄電素子１０であって、当該複数の電極体のそれぞれは、正極の活物質層の非形成部が積層された積層部であって、第一方向とは交差する第二方向に延びる積層部を第一方向に並列に複数有し、正極集電体１２０は、当該複数の電極体が有する複数の積層部であって第一方向に並列に配置された複数の積層部のうち、隣り合う２つの積層部であって異なる電極体に含まれる２つの積層部である第二正極積層部１４２及び第三正極積層部１５１に接合される、第二方向に延びる接合部１２２を有し、接合部１２２は、第二正極積層部１４２及び第三正極積層部１５１と束ねられて接合されている。【選択図】図７
2014182899.tif 000002
【特許請求の範囲】
【請求項１】
正極及び負極を有し第一方向に並列に配置される複数の電極体と、電極端子と、前記複数の電極体及び前記電極端子に電気的に接続される集電体とを備える蓄電素子であって、
前記複数の電極体のそれぞれは、前記正極または前記負極の活物質層の非形成部が積層された積層部であって、前記第一方向とは交差する第二方向に延びる積層部を前記第一方向に並列に複数有し、
前記集電体は、前記複数の電極体が有する複数の前記積層部であって前記第一方向に並列に配置された複数の前記積層部のうち、隣り合う２つの積層部であって異なる電極体に含まれる２つの積層部である内側積層部対に接合される、前記第二方向に延びる接合部を有し、
前記接合部は、前記内側積層部対と束ねられて接合されている
蓄電素子。
【請求項２】
前記接合部は、前記内側積層部対に含まれる２つの積層部の間に配置されて、当該２つの積層部と束ねられて接合されている
請求項１に記載の蓄電素子。
【請求項３】
前記集電体は、さらに、前記電極端子側に配置される端子接続部を有し、
前記接合部は、前記端子接続部の側方から前記第二方向に垂れ下がるように、前記端子接続部から捻られることなく折り曲げられて形成されている
請求項１または２に記載の蓄電素子。
【請求項４】
前記集電体は、前記接合部が前記内側積層部対と接合されることで、前記内側積層部対に含まれる２つの積層部を有する２つの電極体を保持するように形成されている
請求項１〜３のいずれか１項に記載の蓄電素子。
【請求項５】
前記複数の電極体は、複数の前記内側積層部対を有しており、
前記集電体は、前記複数の内側積層部対のうちの２つの前記内側積層部対とそれぞれ接合される２つの前記接合部を有する
請求項１〜４のいずれか１項に記載の蓄電素子。
【請求項６】
前記複数の内側積層部対のうちの前記２つの内側積層部対と異なる内側積層部対に含まれる２つの積層部は、束ねられて接合されている
請求項５に記載の蓄電素子。
【請求項７】
前記異なる内側積層部対に含まれる２つの積層部は、溶接またはかしめによって接合されている
請求項６に記載の蓄電素子。
【請求項８】
前記集電体は、前記複数の電極体が有する複数の前記積層部のうち、前記第一方向において両端に配置される２つの積層部とは接合されることなく、前記接合部で前記内側積層部対と接合されている
請求項１〜７のいずれか１項に記載の蓄電素子。
【請求項９】
前記複数の電極体のそれぞれが有する前記複数の積層部は、前記正極または前記負極の活物質層の非形成部が巻回されて積層されることで形成された前記第一方向に並ぶ２つの積層部であり、
前記接合部は、前記２つの積層部で構成される前記複数の積層部のうちの前記内側積層部対と束ねられて接合されている
請求項１〜８のいずれか１項に記載の蓄電素子。
【請求項１０】
正極及び負極を有し第一方向に並列に配置される複数の電極体と、電極端子と、前記複数の電極体及び前記電極端子に電気的に接続される集電体とを備える蓄電素子の製造方法であって、
前記複数の電極体のそれぞれは、前記正極または前記負極の活物質層の非形成部が積層された積層部であって、前記第一方向とは交差する第二方向に延びる積層部を前記第一方向に並列に複数有しており、
前記蓄電素子の製造方法は、
前記複数の電極体が有する複数の前記積層部であって前記第一方向に並列に配置された複数の前記積層部のうち、隣り合う２つの積層部であって異なる電極体に含まれる２つの積層部である内側積層部対に、前記集電体が有する前記第二方向に延びる接合部を隣接して配置する接合部配置工程と、
前記接合部を、前記内側積層部対と束ねて接合する接合部接合工程と
を含む蓄電素子の製造方法。
【請求項１１】
さらに、
前記集電体の前記電極端子側に配置される端子接続部の側方から、前記接合部を捻ることなく折り曲げて前記集電体を形成する集電体形成工程を含む
請求項１０に記載の蓄電素子の製造方法。
【発明の詳細な説明】
【技術分野】
【０００１】
本発明は、複数の電極体と、電極端子と、複数の電極体及び電極端子に電気的に接続される集電体とを備える蓄電素子及びその製造方法に関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車の開発が進められている。そして、このような蓄電素子においては、一般的に、正極と負極とを有する電極体と、電極端子と、電極体及び電極端子を電気的に接続する集電体とを備えている。
【０００３】
ここで、従来、例えば高レートサイクルの充放電を行うハイブリッド電気自動車（Ｈｙｂｒｉｄ  Ｅｌｅｃｔｒｉｃ  Ｖｅｈｉｃｌｅ、ＨＥＶ）に用いられるような蓄電素子においては、複数の電極体を備え、集電体を当該複数の電極体に接続する構成が提案されている（例えば、特許文献１の図６等参照）。
【先行技術文献】
【特許文献】
【０００４】
【特許文献１】特開２０１２−１５６１３４号公報
【発明の概要】
【発明が解決しようとする課題】
【０００５】
しかしながら、上記従来の蓄電素子では、複数の電極体を有する構成において、電極体に集電体を接続する作業が複雑であるという問題がある。
【０００６】
つまり、特許文献１（図６等）に開示された従来の蓄電素子においては、２つの電極体（電極組立体）と２本の集電リードを有する集電体（可撓性電流集電体）とを備えており、一方の電極体に一方の集電リードを接続し、他方の電極体に他方の集電リードを接続する。このため、２つの電極体に２つの集電リードを接続する必要がある。つまり、２つの電極体に集電体を接続するために２回の接合作業を行う必要があるため、電極体に集電体を接続する作業が複雑になる。
【０００７】
本発明は、上記問題を解決するためになされたものであり、複数の電極体を有する構成において、簡易に、電極体に集電体を接続することができる蓄電素子及びその製造方法を提供することを目的とする。
【課題を解決するための手段】
【０００８】
上記目的を達成するために、本発明の一態様に係る蓄電素子は、正極及び負極を有し第一方向に並列に配置される複数の電極体と、電極端子と、前記複数の電極体及び前記電極端子に電気的に接続される集電体とを備える蓄電素子であって、前記複数の電極体のそれぞれは、前記正極または前記負極の活物質層の非形成部が積層された積層部であって、前記第一方向とは交差する第二方向に延びる積層部を前記第一方向に並列に複数有し、前記集電体は、前記複数の電極体が有する複数の前記積層部であって前記第一方向に並列に配置された複数の前記積層部のうち、隣り合う２つの積層部であって異なる電極体に含まれる２つの積層部である内側積層部対に接合される、前記第二方向に延びる接合部を有し、前記接合部は、前記内側積層部対と束ねられて接合されている。
【０００９】
これによれば、蓄電素子は、複数の積層部を有する電極体を複数備えており、集電体は、複数の電極体が有する複数の積層部のうち、異なる電極体に含まれる隣り合う２つの積層部である内側積層部対と束ねられて接合されている接合部を有している。つまり、接合部は、２つの電極体に含まれる２つの積層部に接合されている。このため、２つの積層部に接合部を接合する１回の接合作業で、２つの電極体に集電体を接合することができる。したがって、複数の電極体を有する蓄電素子において、簡易に、電極体に集電体を接続することができる。
【００１０】
また、前記接合部は、前記内側積層部対に含まれる２つの積層部の間に配置されて、当該２つの積層部と束ねられて接合されていることにしてもよい。
【００１１】
これによれば、接合部は、２つの積層部に挟まれるように配置されて接合されている。このため、２つの電極体で接合部を挟んで接合作業を行えばよいので、簡易に、電極体に集電体を接合させることができる。
【００１２】
また、前記集電体は、さらに、前記電極端子側に配置される端子接続部を有し、前記接合部は、前記端子接続部の側方から前記第二方向に垂れ下がるように、前記端子接続部から捻られることなく折り曲げられて形成されていることにしてもよい。
【００１３】
これによれば、集電体の接合部は、端子接続部の側方から垂れ下がるように、捻られることなく折り曲げられて形成されている。つまり、集電体は、平板状の部材を折り曲げたような簡単な形状であるため、簡易に集電体を製造することができる。また、接合部は、端子接続部から捻られることなく折り曲げられて形成されているため、捻り部分と電極体との干渉を回避するような必要がない。つまり、捻りによって集電体を製造した場合には、捻り部分が電極体と干渉するのを避けるために、電極体の積層部をフォーミング加工する必要があるが、当該蓄電素子においては、集電体は捻られることなく製造されているため、当該積層部をフォーミング加工する必要がない。このため、当該蓄電素子において、簡易に、電極体に集電体を接続することができる。
【００１４】
また、前記集電体は、前記接合部が前記内側積層部対と接合されることで、前記内側積層部対に含まれる２つの積層部を有する２つの電極体を保持するように形成されていることにしてもよい。
【００１５】
これによれば、集電体は、接合された電極体を保持するように形成されている。ここで、特許文献１に開示された集電体においては、可撓性の集電リードが電極体に接続されているため、電極体を保持する機能を有していない。このため、当該蓄電素子においては、電極体を保持する機能も有する集電体を備えることができている。
【００１６】
また、前記複数の電極体は、複数の前記内側積層部対を有しており、前記集電体は、前記複数の内側積層部対のうちの２つの前記内側積層部対とそれぞれ接合される２つの前記接合部を有することにしてもよい。
【００１７】
これによれば、集電体は、２つの内側積層部対とそれぞれ接合される２つの接合部を有している。つまり、蓄電素子が３以上の電極体を備えることにより２以上の内側積層部対を有する場合には、集電体は、２つの接合部を有する。これにより、集電体を、より多くの電極体に接続することができる。また、接合部の数を２つにすることにより、接合部を捻ることなく折り曲げて形成することができるため、簡易に集電体を製造することができるとともに、簡易に集電体を電極体に接続することができる。
【００１８】
また、前記複数の内側積層部対のうちの前記２つの内側積層部対と異なる内側積層部対に含まれる２つの積層部は、束ねられて接合されていることにしてもよい。
【００１９】
これによれば、接合部と接合されない内側積層部対に含まれる２つの積層部は、束ねられて接合されている。つまり、隣り合う電極体に含まれる積層部同士が束ねられて接合されているため、当該隣り合う電極体間の隙間を塞ぐことができている。ここで、隣り合う電極体間に隙間が生じている場合には、例えば超音波溶接で積層部に接合部を接合する際に、金属箔の粉塵等の異物が当該隙間に入り込むおそれがある。特に負極側から正極側に粉塵が移動（銅片がアルミ側へ移動）した場合には、蓄電素子の容量低下が生じるおそれがある。このため、当該蓄電素子においては、隣り合う電極体間の隙間を塞いでいるため、金属箔の粉塵等の異物が移動するのを抑制し、容量低下の防止を図ることができる。また、隣り合う電極体の積層部同士を束ねることで、当該隣り合う電極体同士の電気的均衡を保つこともできる。
【００２０】
また、前記異なる内側積層部対に含まれる２つの積層部は、溶接またはかしめによって接合されていることにしてもよい。
【００２１】
これによれば、接合部と接合されない内側積層部対に含まれる２つの積層部は、溶接またはかしめによって接合されている。つまり、２つの積層部を、超音波溶接、抵抗溶接などの溶接やかしめを利用することで、簡易に接合することができる。
【００２２】
また、前記集電体は、前記複数の電極体が有する複数の前記積層部のうち、前記第一方向において両端に配置される２つの積層部とは接合されることなく、前記接合部で前記内側積層部対と接合されていることにしてもよい。
【００２３】
これによれば、集電体は、両端に配置される２つの積層部とは接合されていない。つまり、接合部を内側の積層部に接合させることで、外側の積層部に接合させる必要がなくなるため、接合作業の回数を減らすことができる。
【００２４】
また、前記複数の電極体のそれぞれが有する前記複数の積層部は、前記正極または前記負極の活物質層の非形成部が巻回されて積層されることで形成された前記第一方向に並ぶ２つの積層部であり、前記接合部は、前記２つの積層部で構成される前記複数の積層部のうちの前記内側積層部対と束ねられて接合されていることにしてもよい。
【００２５】
これによれば、複数の電極体は巻回型の電極体であるため、それぞれの電極体は、電極を巻回することにより、簡易に、２つの積層部を形成することができる。
【００２６】
また、上記目的を達成するために、本発明の一態様に係る蓄電素子の製造方法は、正極及び負極を有し第一方向に並列に配置される複数の電極体と、電極端子と、前記複数の電極体及び前記電極端子に電気的に接続される集電体とを備える蓄電素子の製造方法であって、前記複数の電極体のそれぞれは、前記正極または前記負極の活物質層の非形成部が積層された積層部であって、前記第一方向とは交差する第二方向に延びる積層部を前記第一方向に並列に複数有しており、前記蓄電素子の製造方法は、前記複数の電極体が有する複数の前記積層部であって前記第一方向に並列に配置された複数の前記積層部のうち、隣り合う２つの積層部であって異なる電極体に含まれる２つの積層部である内側積層部対に、前記集電体が有する前記第二方向に延びる接合部を隣接して配置する接合部配置工程と、前記接合部を、前記内側積層部対と束ねて接合する接合部接合工程とを含む。
【００２７】
これによれば、蓄電素子の製造方法において、複数の電極体が有する複数の積層部のうち異なる電極体に含まれる隣り合う２つの積層部に、集電体の接合部を隣接して配置し、接合部を当該２つの積層部と束ねて接合する。このため、２つの積層部に接合部を接合する１回の接合作業で、２つの電極体に集電体を接合させることができる。したがって、当該蓄電素子の製造方法において、簡易に、電極体に集電体を接続することができる。
【００２８】
また、さらに、前記集電体の前記電極端子側に配置される端子接続部の側方から、前記接合部を捻ることなく折り曲げて前記集電体を形成する集電体形成工程を含むことにしてもよい。
【００２９】
これによれば、蓄電素子の製造方法において、端子接続部の側方から、接合部を捻ることなく折り曲げて集電体を形成する。つまり、集電体は、平板状の部材を折り曲げたような簡単な形状であるため、容易に集電体を製造することができる。また、集電体を捻ることなく形成するため、捻り部分と電極体との干渉を回避するために積層部をフォーミング加工するというような必要がない。このため、当該蓄電素子の製造方法において、簡易に、電極体に集電体を接続することができる。
【発明の効果】
【００３０】
本発明における蓄電素子によれば、複数の電極体を有する構成において、簡易に、電極体に集電体を接続することができる。
【図面の簡単な説明】
【００３１】
【図１】本発明の実施の形態に係る蓄電素子の外観を模式的に示す斜視図である。
【図２】本発明の実施の形態に係る蓄電素子の容器の本体を分離して蓄電素子が備える各構成要素を示す斜視図である。
【図３】本発明の実施の形態に係る蓄電素子を分解した場合の各構成要素を示す分解斜視図である。
【図４】本発明の実施の形態に係る正極集電体の構成を示す斜視図である。
【図５】本発明の実施の形態に係る正極集電体の製造過程を説明するための図である。
【図６】本発明の実施の形態に係る正極集電体及び負極集電体が第一電極体及び第二電極体に接合される構成を示す斜視図である。
【図７】本発明の実施の形態に係る正極集電体及び負極集電体が第一電極体及び第二電極体に接合される構成を示す断面図である。
【図８】本発明の実施の形態に係る正極集電体及び負極集電体が第一電極体及び第二電極体に接合される構成を示す側面図である。
【図９】本発明の実施の形態に係る蓄電素子の製造方法を示すフローチャートである。
【図１０】本発明の実施の形態の変形例１に係る正極集電体及び負極集電体が第一電極体及び第二電極体に接合される構成を示す断面図である。
【図１１】本発明の実施の形態の変形例２に係る蓄電素子が３つの電極体を備える場合において正極集電体及び負極集電体が電極体に接合される構成を示す斜視図である。
【図１２】本発明の実施の形態の変形例２に係る正極集電体の構成を示す斜視図である。
【図１３】本発明の実施の形態の変形例２に係る蓄電素子が３つの電極体を備える場合において正極集電体及び負極集電体が電極体に接合される構成を示す断面図である。
【図１４】本発明の実施の形態の変形例３に係る蓄電素子が４つの電極体を備える場合において正極集電体及び負極集電体が電極体に接合される構成を示す斜視図である。
【図１５】本発明の実施の形態の変形例３に係る蓄電素子が４つの電極体を備える場合において正極集電体及び負極集電体が電極体に接合される構成を示す断面図である。
【発明を実施するための形態】
【００３２】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態、工程、工程の順序などは、一例であり、本発明を限定する主旨ではない。また、以下の実施の形態における構成要素のうち、最上位概念を示す独立請求項に記載されていない構成要素については、任意の構成要素として説明される。
【００３３】
（実施の形態）
まず、蓄電素子１０の構成について、説明する。
【００３４】
図１は、本発明の実施の形態に係る蓄電素子１０の外観を模式的に示す斜視図である。図２は、本発明の実施の形態に係る蓄電素子１０の容器１００の本体１１１を分離して蓄電素子１０が備える各構成要素を示す斜視図である。図３は、本発明の実施の形態に係る蓄電素子１０を分解した場合の各構成要素を示す分解斜視図である。なお、図３は、容器１００の本体１１１を省略して図示している。
【００３５】
蓄電素子１０は、電気を充電し、また、電気を放電することのできる二次電池であり、より具体的には、リチウムイオン二次電池などの非水電解質二次電池である。特に、蓄電素子１０は、高レートサイクルの充放電を行うようなハイブリッド電気自動車（ＨＥＶ）に適用される。なお、蓄電素子１０は、非水電解質二次電池には限定されず、非水電解質二次電池以外の二次電池であってもよいし、キャパシタであってもよい。
【００３６】
これらの図に示すように、蓄電素子１０は、容器１００と、正極端子２００と、負極端子３００とを備えている。また、容器１００内方には、正極集電体１２０と、負極集電体１３０と、２つの電極体である第一電極体１４０及び第二電極体１５０とが収容されている。
【００３７】
また、蓄電素子１０の容器１００の内部には電解液（非水電解液）などの液体が封入されているが、当該液体の図示は省略する。なお、容器１００に封入される電解液としては、蓄電素子１０の性能を損なうものでなければその種類に特に制限はなく様々なものを選択することができる。
【００３８】
容器１００は、矩形筒状で底を備える本体１１１と、本体１１１の開口を閉塞する板状部材である蓋体１１０とで構成されている。また、容器１００は、第一電極体１４０及び第二電極体１５０等を内部に収容後、蓋体１１０と本体１１１とが溶接等されることにより、内部を密封することができるものとなっている。なお、蓋体１１０及び本体１１１の材質は、特に限定されないが、例えばステンレス鋼など溶接可能な金属であるのが好ましい。
【００３９】
第一電極体１４０及び第二電極体１５０は、並列に配置される２つの発電要素であり、ともに、正極集電体１２０及び負極集電体１３０と電気的に接続される。ここで、第一電極体１４０及び第二電極体１５０が並列に配置される方向（Ｙ軸方向）を、以下では第一方向とする。なお、第一電極体１４０と第二電極体１５０とは、同様の構成を有するため、以下では第一電極体１４０についての説明を中心に行い、第二電極体１５０についての説明は省略または簡略化する。
【００４０】
第一電極体１４０は、正極と負極とセパレータとを備え、電気を蓄えることができる部材である。正極は、アルミニウムやアルミニウム合金などからなる長尺帯状の金属箔である正極基材箔上に正極活物質層が形成されたものである。また、負極は、銅や銅合金などからなる長尺帯状の金属箔である負極基材箔上に負極活物質層が形成されたものである。また、セパレータは、樹脂からなる微多孔性のシートである。
【００４１】
ここで、正極活物質層に用いられる正極活物質、または負極活物質層に用いられる負極活物質としては、リチウムイオンを吸蔵放出可能な正極活物質または負極活物質であれば、適宜公知の材料を使用できる。
【００４２】
そして、第一電極体１４０は、負極と正極との間にセパレータが挟み込まれるように層状に配置されたものが巻き回されて形成されている。なお、同図では、第一電極体１４０の形状としては長円形状を示したが、円形状または楕円形状でもよい。また、第一電極体１４０の形状は巻回型に限らず、平板状極板を積層した形状でもよい。なお、第一電極体１４０及び第二電極体１５０の構成の詳細な説明については、後述する。
【００４３】
以上のように、蓄電素子１０は、複数の電極体（本実施の形態では２つの電極体）を有しているため、同一体積（容積）の容器１００に単数の電極体を用いる場合に比べ、以下の点で好ましい。つまり、複数の電極体を用いることで、単数の電極体を用いる場合に比べ、容器１００のコーナー部のデッドスペースが減り、電極体の占める割合が向上するため、蓄電素子１０の容量アップにつながる。また、特に、高入出力（ハイレート）用の電極体では、高容量タイプの電極体に比べて、金属箔上の活物質の量を減らす必要があり、電極体中での金属箔やセパレータの割合が高まる。このため、単数の電極体を用いた場合は電極の巻き数が多くなるため硬くて柔軟性が低く容器１００に挿入しづらくなるが、複数の電極体を用いることで１つの電極体における巻き数を少なくし、柔軟性が高い電極体を実現することができる。
【００４４】
正極端子２００は、第一電極体１４０の正極及び第二電極体１５０の正極に電気的に接続された電極端子であり、負極端子３００は、第一電極体１４０の負極及び第二電極体１５０の負極に電気的に接続された電極端子である。つまり、正極端子２００及び負極端子３００は、第一電極体１４０及び第二電極体１５０に蓄えられている電気を蓄電素子１０の外部空間に導出し、また、第一電極体１４０及び第二電極体１５０に電気を蓄えるために蓄電素子１０の内部空間に電気を導入するための金属製の電極端子である。
【００４５】
また、正極端子２００及び負極端子３００は、第一電極体１４０及び第二電極体１５０の上方に配置された蓋体１１０に取り付けられている。具体的には、図３に示すように、正極端子２００は、突出部２１０が蓋体１１０の貫通孔１１０ａと正極集電体１２０の貫通孔１２１ａとに挿入されて、かしめられることにより、正極集電体１２０とともに蓋体１１０に固定される。また同様に、負極端子３００は、突出部３１０が蓋体１１０の貫通孔１１０ｂと負極集電体１３０の貫通孔１３１ａとに挿入されて、かしめられることにより、負極集電体１３０とともに蓋体１１０に固定される。なお、パッキン等も配置されているが、同図では省略して図示している。
【００４６】
正極集電体１２０は、第一電極体１４０の正極と第二電極体１５０の正極との間に配置され、正極端子２００と第一電極体１４０及び第二電極体１５０の正極とに電気的に接続される導電性と剛性とを備えた部材である。なお、正極集電体１２０は、第一電極体１４０及び第二電極体１５０の正極基材箔と同様、アルミニウムまたはアルミニウム合金で形成されている。
【００４７】
負極集電体１３０は、第一電極体１４０の負極と第二電極体１５０の負極との間に配置され、負極端子３００と第一電極体１４０及び第二電極体１５０の負極とに電気的に接続される導電性と剛性とを備えた部材である。なお、負極集電体１３０は、第一電極体１４０及び第二電極体１５０の負極基材箔と同様、銅または銅合金で形成されている。
【００４８】
次に、正極集電体１２０及び負極集電体１３０の構成について、詳細に説明する。なお、正極集電体１２０と負極集電体１３０とは、同様の構成を有するため、以下では正極集電体１２０についての説明を中心に行い、負極集電体１３０についての説明は省略または簡略化する。
【００４９】
図４は、本発明の実施の形態に係る正極集電体１２０の構成を示す斜視図である。また、図５は、本発明の実施の形態に係る正極集電体１２０の製造過程を説明するための図である。
【００５０】
図４に示すように、正極集電体１２０は、端子接続部１２１と、接合部１２２とを備えている。
【００５１】
端子接続部１２１は、正極端子２００側（Ｚ軸プラス側）に配置される平板状の部位である。端子接続部１２１には、正極端子２００の突出部２１０が挿入される貫通孔１２１ａが形成されている。つまり、端子接続部１２１は、突出部２１０が貫通孔１１０ａに挿入されて蓋体１１０とともにかしめられることにより、蓋体１１０に固定される。
【００５２】
接合部１２２は、端子接続部１２１の端部に接続された棒状の部材である。具体的には、接合部１２２は、端子接続部１２１の側方から第二方向に垂れ下がるように配置された第二方向に延びる平板状の部材であり、後述の内側積層部対に接合される。ここで、第二方向とは、第一方向（Ｙ軸方向）とは交差する方向であり、本実施の形態では、Ｚ軸方向である。
【００５３】
つまり、接合部１２２は、端子接続部１２１の端部の中央部分からＺ軸方向に延びる部材であり、ＸＺ平面に平行な面を有している。なお、第二方向は、Ｚ軸方向には限定されず、Ｙ軸方向と交差する方向であればよい。
【００５４】
また、図５に示すように、接合部１２２は、端子接続部１２１から捻られることなく折り曲げられて形成されている。つまり、折り曲げられる前の接合部１２４は、端子接続部１２１と同一平面（ＸＹ平面）内に配置されており、この接合部１２４がＺ軸マイナス方向に折り曲げられることで、端子接続部１２１と垂直な方向（Ｚ軸方向）に延びる接合部１２２が形成される。
【００５５】
次に、正極集電体１２０及び負極集電体１３０が第一電極体１４０及び第二電極体１５０に接合される構成について、詳細に説明する。なお、以下においても、正極集電体１２０が第一電極体１４０及び第二電極体１５０に接合される構成と、負極集電体１３０が第一電極体１４０及び第二電極体１５０に接合される構成とは、同様の構成を有するため、以下では正極集電体１２０についての説明を中心に行い、負極集電体１３０についての説明は省略または簡略化する。
【００５６】
図６は、本発明の実施の形態に係る正極集電体１２０及び負極集電体１３０が第一電極体１４０及び第二電極体１５０に接合される構成を示す斜視図である。
【００５７】
図７は、本発明の実施の形態に係る正極集電体１２０及び負極集電体１３０が第一電極体１４０及び第二電極体１５０に接合される構成を示す断面図である。具体的には、同図は、図６に示した正極集電体１２０及び負極集電体１３０が第一電極体１４０及び第二電極体１５０に接合された状態をＸＹ平面に平行な平面で切断した場合の断面を示す断面図である。
【００５８】
図８は、本発明の実施の形態に係る正極集電体１２０及び負極集電体１３０が第一電極体１４０及び第二電極体１５０に接合される構成を示す側面図である。具体的には、同図の（ａ）は、図６に示した正極集電体１２０及び負極集電体１３０が第一電極体１４０及び第二電極体１５０に接合された状態をＹ軸マイナス方向から見た場合の側面図である。また、同図の（ｂ）は、図６に示した正極集電体１２０及び負極集電体１３０が第一電極体１４０及び第二電極体１５０に接合された状態をＹ軸プラス方向から見た場合の側面図である。
【００５９】
これらの図に示すように、第一電極体１４０及び第二電極体１５０のそれぞれは、正極または負極の活物質層の非形成部が積層された積層部であって、第一方向（Ｙ軸方向）とは交差する第二方向（本実施の形態ではＺ軸方向）に延びる積層部を第一方向に並列に複数有している。
【００６０】
つまり、第一電極体１４０及び第二電極体１５０において、正極と負極とは、セパレータを介して、巻回軸（本実施の形態ではＸ軸方向に平行な仮想軸）の方向に互いにずらして巻回されている。そして、正極及び負極は、それぞれのずらされた方向の端縁部に、活物質層が形成されていない部分（活物質層非形成部）を有している。
【００６１】
具体的には、正極は、巻回軸方向の一端（Ｘ軸プラス方向の端部）に、正極活物質層の非形成部が積層された積層部を有している。また、負極は、巻回軸方向の他端（Ｘ軸マイナス方向の端部）に、負極活物質層の非形成部が積層された積層部を有している。つまり、正極の露出した金属箔の層によって正極側の積層部が形成され、負極の露出した金属箔の層によって負極側の積層部が形成されている。
【００６２】
なお、正極の金属箔及び負極の金属箔の厚みは、それぞれ、例えば５μｍ〜２０μｍのうちのいずれかの値である。また、これら金属箔は、例えば３０枚など４０枚以下の枚数が重ねられることで、積層部を形成している。
【００６３】
以上のように、第一電極体１４０は、正極側に、複数の積層部として、第一方向に並ぶ２つの積層部である第一正極積層部１４１と第二正極積層部１４２とを有している。また、第二電極体１５０は、正極側に、複数の積層部として、第一方向に並ぶ２つの積層部である第三正極積層部１５１と第四正極積層部１５２とを有している。
【００６４】
つまり、第一正極積層部１４１及び第二正極積層部１４２は、第一電極体１４０の正極のうち正極活物質層が形成されていない正極基材箔が積層された金属箔群である。また、第三正極積層部１５１及び第四正極積層部１５２は、第二電極体１５０の正極のうち正極活物質層が形成されていない正極基材箔が積層された金属箔群である。
【００６５】
そして、正極集電体１２０の接合部１２２は、第一電極体１４０及び第二電極体１５０が有する複数の積層部であって第一方向に並列に配置された複数の積層部のうち、隣り合う２つの積層部であって異なる電極体に含まれる２つの積層部である内側積層部対に接合されている。つまり、第一正極積層部１４１、第二正極積層部１４２、第三正極積層部１５１及び第四正極積層部１５２のうち、隣り合う２つの積層部であって異なる電極体に含まれる２つの積層部である第二正極積層部１４２及び第三正極積層部１５１が内側積層部対であり、接合部１２２は、第二正極積層部１４２及び第三正極積層部１５１と接合されている。
【００６６】
具体的には、接合部１２２は、内側積層部対と束ねられて接合されている。さらに具体的には、接合部１２２は、内側積層部対に含まれる２つの積層部である第二正極積層部１４２及び第三正極積層部１５１の間に配置されて、当該２つの積層部と束ねられて接合されている。つまり、接合部１２２は、第二正極積層部１４２及び第三正極積層部１５１に沿って第二方向に延びるように第二正極積層部１４２と第三正極積層部１５１との間に配置されており、第二正極積層部１４２及び第三正極積層部１５１と束ねられて接合されている。
【００６７】
なお、束ねられて接合とは、集電体の接合部と電極体の基材箔の金属箔群とを束ねて、超音波溶接、抵抗溶接などの溶接やかしめなどによって、当該接合部と当該金属箔群とを接合することをいう。
【００６８】
つまり、第二正極積層部１４２と接合部１２２と第三正極積層部１５１とを束ねて、領域Ｒ１内で溶接やかしめなどによる固定を行うことで、第二正極積層部１４２と接合部１２２と第三正極積層部１５１とを接合する。
【００６９】
また、負極側についても同様に、第一電極体１４０は、第一方向に並ぶ第一負極積層部１４３と第二負極積層部１４４とを有している。また、第二電極体１５０は、第一方向に並ぶ第三負極積層部１５３と第四負極積層部１５４とを有している。つまり、第一負極積層部１４３及び第二負極積層部１４４は、第一電極体１４０の負極のうち負極活物質層が形成されていない負極基材箔が積層された金属箔群である。また、第三負極積層部１５３及び第四負極積層部１５４は、第二電極体１５０の負極のうち負極活物質層が形成されていない負極基材箔が積層された金属箔群である。
【００７０】
そして、第一負極積層部１４３、第二負極積層部１４４、第三負極積層部１５３及び第四負極積層部１５４のうち、隣り合う２つの積層部であって異なる電極体に含まれる２つの積層部である第二負極積層部１４４及び第三負極積層部１５３が内側積層部対であり、接合部１３２は、第二負極積層部１４４及び第三負極積層部１５３と接合されている。
【００７１】
具体的には、接合部１３２は、第二負極積層部１４４及び第三負極積層部１５３に沿って第二方向に延びるように第二負極積層部１４４と第三負極積層部１５３との間に配置されており、第二負極積層部１４４及び第三負極積層部１５３と束ねられて接合されている。
【００７２】
つまり、第二負極積層部１４４と接合部１３２と第三負極積層部１５３とを束ねて、領域Ｑ１内で溶接やかしめなどによる固定を行うことで、第二負極積層部１４４と接合部１３２と第三負極積層部１５３とを接合する。
【００７３】
このように、第一電極体１４０及び第二電極体１５０は巻回型の電極体であるため、第一電極体１４０及び第二電極体１５０のそれぞれが有する複数の積層部は、正極または負極の活物質層非形成部が巻回されて積層されることで形成された第一方向に並ぶ２つの積層部である。そして、正極または負極の接合部は、当該２つの積層部で構成される複数の積層部のうちの内側積層部対と束ねられて接合されている。
【００７４】
また、正極集電体１２０は、第一電極体１４０及び第二電極体１５０が有する複数の積層部のうち、第一方向において両端に配置される２つの積層部とは接合されることなく、接合部１２２で内側積層部対と接合されている。
【００７５】
つまり、接合部１２２は、第一正極積層部１４１、第二正極積層部１４２、第三正極積層部１５１及び第四正極積層部１５２のうち両端に配置される２つの積層部である第一正極積層部１４１及び第四正極積層部１５２とは接合されていない。
【００７６】
また、負極側についても同様に、接合部１３２は、第一負極積層部１４３、第二負極積層部１４４、第三負極積層部１５３及び第四負極積層部１５４のうち両端に配置される２つの積層部である第一負極積層部１４３及び第四負極積層部１５４とは接合されていない。
【００７７】
また、正極集電体１２０及び負極集電体１３０は、接合部が内側積層部対と接合されることで、内側積層部対に含まれる２つの積層部を有する２つの電極体を保持するように形成されている。つまり、正極集電体１２０及び負極集電体１３０は、接合部１２２が第二正極積層部１４２及び第三正極積層部１５１と接合され、接合部１３２が第二負極積層部１４４及び第三負極積層部１５３と接合されることで、第一電極体１４０及び第二電極体１５０を吊り下げるようにして保持している。
【００７８】
次に、蓄電素子１０の製造方法について、説明する。
【００７９】
図９は、本発明の実施の形態に係る蓄電素子１０の製造方法を示すフローチャートである。具体的には、同図は、第一電極体１４０及び第二電極体１５０に正極集電体１２０及び負極集電体１３０を接合する工程を説明するフローチャートである。なお、以下においても、正極集電体１２０を第一電極体１４０及び第二電極体１５０に接合する工程と、負極集電体１３０を第一電極体１４０及び第二電極体１５０に接合する工程とは同様であるため、以下では正極集電体１２０についての説明を中心に行い、負極集電体１３０についての説明は省略または簡略化する。
【００８０】
同図に示すように、まず、集電体形成工程として、正極集電体１２０の正極端子２００側に配置される端子接続部１２１の側方から、接合部１２２を捻ることなく折り曲げて正極集電体１２０を形成する（Ｓ１０２）。
【００８１】
つまり、上述の通り、図５に示したように平板状の部材を折り曲げることで、図４に示した正極集電体１２０を形成する。また、同様にして、負極集電体１３０についても形成する。
【００８２】
次に、接合部配置工程として、第一電極体１４０及び第二電極体１５０が有する複数の積層部であって第一方向に並列に配置された複数の積層部のうち、隣り合う２つの積層部であって異なる電極体に含まれる２つの積層部である内側積層部対に、正極集電体１２０が有する第二方向に延びる接合部１２２を隣接して配置する（Ｓ１０４）。
【００８３】
つまり、図６〜図８に示したように、接合部１２２を、内側積層部対に含まれる２つの積層部である第二正極積層部１４２及び第三正極積層部１５１の間に配置する。また、同様にして、負極集電体１３０の接合部１３２についても、第二負極積層部１４４及び第三負極積層部１５３の間に配置する。
【００８４】
次に、接合部接合工程として、接合部１２２を、内側積層部対と束ねて接合する（Ｓ１０６）。
【００８５】
つまり、上述の通り、図６〜図８に示したように、接合部１２２を、第二正極積層部１４２及び第三正極積層部１５１と束ねて接合する。また、同様にして、負極集電体１３０の接合部１３２についても、第二負極積層部１４４及び第三負極積層部１５３と束ねて接合する。
【００８６】
以上のように、本発明の実施の形態に係る蓄電素子１０によれば、複数の積層部を有する複数の電極体である第一電極体１４０及び第二電極体１５０を備えており、正極集電体１２０及び負極集電体１３０は、複数の電極体である第一電極体１４０及び第二電極体１５０が有する複数の積層部のうち、異なる電極体に含まれる隣り合う２つの積層部である内側積層部対と束ねられて接合されている接合部１２２及び１３２を有している。つまり、接合部１２２、１３２のそれぞれは、２つの電極体である第一電極体１４０及び第二電極体１５０に含まれる２つの積層部に接合されている。このため、２つの積層部に接合部を接合する１回の接合作業で、２つの電極体に正極集電体１２０または負極集電体１３０を接合することができる。したがって、複数の電極体を有する蓄電素子１０において、簡易に、複数の電極体に集電体を接続することができる。
【００８７】
また、接合部１２２、１３２のそれぞれは、２つの積層部に挟まれるように配置されて接合されている。このため、２つの電極体で当該接合部を挟んで接合作業を行えばよいので、簡易に、電極体に集電体を接合させることができる。
【００８８】
また、接合部を２つの積層部の間に配置することで、接合部と接合される１つの積層部の金属箔の枚数を減らすことができ、接合に必要な電極体の活物質層非形成部の幅（例えば図８に示された第二正極積層部１４２及び第二負極積層部１４４のＸ軸方向の長さ）を狭くすることができる。このため、電極体の活物質層の塗工部（例えば図８に示された第一電極体１４０の第二正極積層部１４２及び第二負極積層部１４４を除くＸ軸方向の長さ）を広くすることができる。これにより、電極体の電極面積を大きくすることができるため、蓄電素子１０の内部抵抗を低減し、容量を増加させることができる。
【００８９】
また、接合部１２２、１３２は、端子接続部１２１、１３１の側方から垂れ下がるように、捻られることなく折り曲げられて形成されている。つまり、正極集電体１２０及び負極集電体１３０は、平板状の部材を折り曲げたような簡単な形状であるため、簡易に正極集電体１２０及び負極集電体１３０を製造することができる。また、接合部１２２、１３２は、端子接続部１２１、１３１から捻られることなく折り曲げられて形成されているため、捻り部分と電極体との干渉を回避するような必要がない。つまり、捻りによって集電体を製造した場合には、捻り部分が電極体と干渉するのを避けるために、電極体の積層部をフォーミング加工する必要があるが、蓄電素子１０においては、集電体は捻られることなく製造されているため、当該積層部をフォーミング加工する必要がない。このため、蓄電素子１０において、簡易に、電極体に集電体を接続することができる。
【００９０】
また、正極集電体１２０及び負極集電体１３０は、第一電極体１４０及び第二電極体１５０を保持するように形成されている。ここで、特許文献１に開示された集電体においては、可撓性の集電リードが電極体に接続されているため、電極体を保持する機能を有していない。このため、蓄電素子１０においては、電極体を保持する機能も有する集電体を備えることができている。
【００９１】
また、正極集電体１２０及び負極集電体１３０のそれぞれは、両端に配置される２つの積層部とは接合されていない。つまり、接合部１２２、１３２を内側の積層部に接合させることで、外側の積層部に接合させる必要がなくなるため、接合作業の回数を減らすことができる。
【００９２】
また、複数の電極体である第一電極体１４０及び第二電極体１５０は巻回型の電極体であるため、それぞれの第一電極体１４０及び第二電極体１５０は、電極を巻回することにより、簡易に、２つの積層部を形成することができる。
【００９３】
また、本発明の実施の形態に係る蓄電素子１０の製造方法によれば、複数の電極体である第一電極体１４０及び第二電極体１５０が有する複数の積層部のうち異なる電極体に含まれる隣り合う２つの積層部に、正極集電体１２０または負極集電体１３０の接合部を隣接して配置し、当該接合部を当該２つの積層部と束ねて接合する。このため、２つの積層部に接合部を接合する１回の接合作業で、２つの電極体に正極集電体１２０または負極集電体１３０を接合させることができる。したがって、蓄電素子１０の製造方法において、簡易に、電極体に集電体を接続することができる。
【００９４】
また、蓄電素子１０の製造方法において、端子接続部１２１、１３１の側方から、接合部１２２、１３２を捻ることなく折り曲げて正極集電体１２０及び負極集電体１３０を形成する。つまり、正極集電体１２０及び負極集電体１３０は、平板状の部材を折り曲げたような簡単な形状であるため、容易に集電体を製造することができる。また、集電体を捻ることなく形成するため、捻り部分と電極体との干渉を回避するために積層部をフォーミング加工するというような必要がない。このため、蓄電素子１０の製造方法において、簡易に、電極体に集電体を接続することができる。
【００９５】
（変形例１）
次に、上記実施の形態の変形例１について、説明する。
【００９６】
図１０は、本発明の実施の形態の変形例１に係る正極集電体１２０ａ及び負極集電体１３０ａが第一電極体１４０及び第二電極体１５０に接合される構成を示す断面図である。具体的には、同図は、正極集電体１２０ａ及び負極集電体１３０ａが第一電極体１４０及び第二電極体１５０に接合された状態をＸＹ平面に平行な平面で切断した場合の断面を示す断面図である。
【００９７】
同図に示すように、接合部１２２ａは、第二正極積層部１４２に沿って第二方向に延びるように第二正極積層部１４２の外側（Ｙ軸方向マイナス側）に配置されており、第二正極積層部１４２及び第三正極積層部１５１と束ねられて接合されている。つまり、接合部１２２ａは、第二正極積層部１４２及び第三正極積層部１５１の外側で第二正極積層部１４２及び第三正極積層部１５１と束ねられて、領域Ｒ２内で溶接やかしめなどによる固定が行われることで、接合されている。
【００９８】
また、同様に、接合部１３２ａは、第三負極積層部１５３に沿って第二方向に延びるように第三負極積層部１５３の外側（Ｙ軸方向プラス側）に配置されており、第二負極積層部１４４及び第三負極積層部１５３と束ねられて接合されている。つまり、接合部１３２ａは、第二負極積層部１４４及び第三負極積層部１５３の外側で第二負極積層部１４４及び第三負極積層部１５３と束ねられて、領域Ｑ２内で溶接やかしめなどによる固定が行われることで、接合されている。
【００９９】
なお、接合部１２２ａは、第三正極積層部１５１に沿って第二方向に延びるように第三正極積層部１５１の外側（Ｙ軸方向プラス側）に配置されており、第二正極積層部１４２及び第三正極積層部１５１と束ねられて接合されていることにしてもよい。
【０１００】
同様に、接合部１３２ａは、第二負極積層部１４４に沿って第二方向に延びるように第二負極積層部１４４の外側（Ｙ軸方向マイナス側）に配置されており、第二負極積層部１４４及び第三負極積層部１５３と束ねられて接合されていることにしてもよい。
【０１０１】
以上のように、本発明の実施の形態の変形例１に係る正極集電体１２０ａ及び負極集電体１３０ａが第一電極体１４０及び第二電極体１５０に接合される構成によっても、上記実施の形態と同様の効果を奏することができる。
【０１０２】
（変形例２）
次に、上記実施の形態の変形例２について、説明する。
【０１０３】
図１１は、本発明の実施の形態の変形例２に係る蓄電素子が３つの電極体を備える場合において正極集電体１２０ｂ及び負極集電体１３０ｂが電極体に接合される構成を示す斜視図である。また、図１２は、本発明の実施の形態の変形例２に係る正極集電体１２０ｂの構成を示す斜視図である。
【０１０４】
また、図１３は、本発明の実施の形態の変形例２に係る蓄電素子が３つの電極体を備える場合において正極集電体１２０ｂ及び負極集電体１３０ｂが電極体に接合される構成を示す断面図である。具体的には、同図は、図１１に示した正極集電体１２０ｂ及び負極集電体１３０ｂが３つの電極体に接合された状態をＸＹ平面に平行な平面で切断した場合の断面を示す断面図である。
【０１０５】
これらの図に示すように、本変形例に係る蓄電素子は、３つの電極体である第一電極体１４０、第二電極体１５０及び第三電極体１６０を備えている。また、図１２に示すように、正極集電体１２０ｂは、端子接続部１２１ｂと、当該３つの電極体に接続される２つの接合部１２２ｂ、１２３ｂとを備えている。なお、負極集電体１３０ｂについても同様であるため、詳細な説明は省略する。
【０１０６】
端子接続部１２１ｂは、正極端子２００側（Ｚ軸プラス側）に配置される平板状の部位である。端子接続部１２１ｂは、上記実施の形態における正極集電体１２０の端子接続部１２１と同様であるため、詳細な説明は省略する。
【０１０７】
２つの接合部１２２ｂ、１２３ｂは、端子接続部１２１ｂの両側面部に接続された棒状の部材である。具体的には、２つの接合部１２２ｂ、１２３ｂは、端子接続部１２１ｂの対向する両側面部から第二方向に垂れ下がるように配置された第二方向に延びる平板状の部材である。つまり、２つの接合部１２２ｂ、１２３ｂは、Ｚ軸方向に延びる部材であり、ＸＺ平面に平行な面を対向して有している。なお、第二方向は、Ｚ軸方向には限定されず、Ｙ軸方向と交差する方向であればよい。
【０１０８】
また、２つの接合部１２２ｂ、１２３ｂは、端子接続部１２１ｂの対向する両側面部から捻られることなく折り曲げられて形成されている。つまり、接合部１２２ｂ、１２３ｂは、折り曲げられる前は端子接続部１２１ｂと同一平面（ＸＹ平面）内に配置されており、Ｚ軸マイナス方向に折り曲げられることで、端子接続部１２１ｂと垂直な方向（Ｚ軸方向）に延びる接合部１２２ｂ、１２３ｂが形成される。
【０１０９】
そして、正極集電体１２０ｂ及び負極集電体１３０ｂは、第一電極体１４０、第二電極体１５０及び第三電極体１６０が有する複数の積層部であって第一方向（Ｙ軸方向）に並列に配置された複数の積層部のうち、隣り合う２つの積層部であって異なる電極体に含まれる２つの積層部である内側積層部対に接合されている。
【０１１０】
つまり、正極集電体１２０ｂの接合部１２２ｂは、内側積層部対である第二正極積層部１４２及び第三正極積層部１５１の間に配置されており、第二正極積層部１４２及び第三正極積層部１５１と束ねられて、領域Ｒ３内で溶接やかしめなどによる固定が行われることで、接合されている。また、接合部１２２ｂは、内側積層部対である第四正極積層部１５２及び第五正極積層部１６１の間に配置されており、第四正極積層部１５２及び第五正極積層部１６１と束ねられて、領域Ｒ４内で溶接やかしめなどによる固定が行われることで、接合されている。
【０１１１】
このように、蓄電素子が３以上の複数の電極体を有している場合、当該複数の電極体は、複数の内側積層部対を有しており、正極集電体１２０ｂは、複数の内側積層部対のうちの２つの内側積層部対とそれぞれ接合される２つの接合部１２２ｂ、１２３ｂを有している。負極集電体１３０ｂについても同様である。
【０１１２】
以上のように、本発明の実施の形態の変形例２に係る正極集電体１２０ｂ及び負極集電体１３０ｂが３つの電極体に接合される構成によっても、上記実施の形態と同様の効果を奏することができる。特に、正極集電体１２０ｂ及び負極集電体１３０ｂのそれぞれは、２つの内側積層部対とそれぞれ接合される２つの接合部を有している。つまり、蓄電素子が３以上の電極体を備えることにより２以上の内側積層部対を有する場合には、集電体は、２つの接合部を有する。これにより、集電体を、より多くの電極体に接続することができる。また、接合部の数を２つにすることにより、接合部を捻ることなく折り曲げて形成することができるため、簡易に集電体を製造することができるとともに、簡易に集電体を電極体に接続することができる。
【０１１３】
（変形例３）
次に、上記実施の形態の変形例３について、説明する。
【０１１４】
図１４は、本発明の実施の形態の変形例３に係る蓄電素子が４つの電極体を備える場合において正極集電体１２０ｃ及び負極集電体１３０ｃが電極体に接合される構成を示す斜視図である。また、図１５は、本発明の実施の形態の変形例３に係る蓄電素子が４つの電極体を備える場合において正極集電体１２０ｃ及び負極集電体１３０ｃが電極体に接合される構成を示す断面図である。具体的には、同図は、図１４に示した正極集電体１２０ｃ及び負極集電体１３０ｃが４つの電極体に接合された状態をＸＹ平面に平行な平面で切断した場合の断面を示す断面図である。
【０１１５】
これらの図に示すように、本変形例に係る蓄電素子は、４つの電極体である第一電極体１４０、第二電極体１５０、第三電極体１６０及び第四電極体１７０を備えている。また、正極集電体１２０ｃは、当該電極体に接続される２つの接合部１２２ｃ、１２３ｃを備えており、負極集電体１３０ｃは、当該電極体に接続される２つの接合部１３２ｃ、１３３ｃを備えている。なお、正極集電体１２０ｃ及び負極集電体１３０ｃは、上記変形例２と同様の構成を有するため、詳細な説明は省略する。
【０１１６】
ここで、正極集電体１２０ｃ及び負極集電体１３０ｃは、第一電極体１４０、第二電極体１５０、第三電極体１６０及び第四電極体１７０が有する複数の積層部であって第一方向（Ｙ軸方向）に並列に配置された複数の積層部のうち、隣り合う２つの積層部であって異なる電極体に含まれる２つの積層部である内側積層部対に接合されている。
【０１１７】
つまり、正極集電体１２０ｃの接合部１２２ｃは、内側積層部対である第二正極積層部１４２及び第三正極積層部１５１の間に配置されており、第二正極積層部１４２及び第三正極積層部１５１と束ねられて、領域Ｒ５内で溶接やかしめなどによる固定が行われることで、接合されている。また、接合部１２２ｃは、内側積層部対である第六正極積層部１６２及び第七正極積層部１７１の間に配置されており、第六正極積層部１６２及び第七正極積層部１７１と束ねられて、領域Ｒ６内で溶接やかしめなどによる固定が行われることで、接合されている。
【０１１８】
このように、蓄電素子が４以上の複数の電極体を有している場合、当該複数の電極体は、３以上の内側積層部対を有しており、正極集電体１２０ｃの２つの接合部１２２ｃ、１２３ｃは、当該３以上の内側積層部対のうちの２つの内側積層部対とそれぞれ接合されている。そして、３以上の複数の内側積層部対のうちの接合部１２２ｃ、１２３ｃと接合されている２つの内側積層部対と異なる内側積層部対に含まれる２つの積層部は、束ねられて接合されている。
【０１１９】
具体的には、接合部１２２ｃ、１２３ｃと接合されていない内側積層部対に含まれる２つの積層部である第四正極積層部１５２と第五正極積層部１６１とは、束ねられて接合されている。
【０１２０】
ここで、束ねられて接合とは、上述の通り、電極体の基材箔の金属箔群同士を束ねて、超音波溶接、抵抗溶接などの溶接やかしめなどによって、当該金属箔群同士を接合することをいう。つまり、第四正極積層部１５２と第五正極積層部１６１とを束ねて、領域Ｒ７内で溶接またはかしめによる固定を行うことで、第四正極積層部１５２と第五正極積層部１６１とを接合する。
【０１２１】
また、負極側についても、負極集電体１３０ｃが電極体と接合され、負極集電体１３０ｃと接合されていない２つの積層部同士も接合されているが、この負極側の接合は、上記の正極側の接合と同様の構成であるため、詳細な説明は省略する。
【０１２２】
なお、本変形例では、蓄電素子は４つの電極体を備えていることとしたが、蓄電素子は５以上の電極体を備えていることにしてもよい。この場合でも、集電体の２つの接合部は両端の２つの内側積層部対とそれぞれ接合され、当該２つの接合部と接合されていない内側積層部対に含まれる２つの積層部は接合される。
【０１２３】
以上のように、本発明の実施の形態の変形例３に係る正極集電体１２０ｃ及び負極集電体１３０ｃが４つの電極体に接合される構成によっても、上記実施の形態と同様の効果を奏することができる。特に、正極集電体１２０ｃ及び負極集電体１３０ｃの接合部と接合されない内側積層部対に含まれる２つの積層部は、束ねられて接合されている。つまり、隣り合う電極体である第二電極体１５０及び第三電極体１６０に含まれる積層部同士が束ねられて接合されているため、当該隣り合う電極体間の隙間を塞ぐことができている。ここで、隣り合う電極体間に隙間が生じている場合には、例えば超音波溶接で積層部に接合部を接合する際に、金属箔の粉塵等の異物が当該隙間に入り込むおそれがある。特に負極側から正極側に粉塵が移動（銅片がアルミ側へ移動）した場合には、蓄電素子の容量低下が生じるおそれがある。このため、本変形例に係る蓄電素子においては、隣り合う電極体間の隙間を塞いでいるため、金属箔の粉塵等の異物が移動するのを抑制し、容量低下の防止を図ることができる。また、隣り合う電極体の積層部同士を束ねることで、当該隣り合う電極体同士の電気的均衡を保つこともできる。
【０１２４】
また、正極集電体１２０ｃ及び負極集電体１３０ｃの接合部と接合されない内側積層部対に含まれる２つの積層部は、溶接またはかしめによって接合されている。つまり、２つの積層部を、超音波溶接、抵抗溶接などの溶接やかしめを利用することで、簡易に接合することができる。
【０１２５】
以上、本発明の実施の形態及びその変形例に係る蓄電素子について説明したが、本発明は、上記実施の形態及びその変形例に限定されるものではない。
【０１２６】
つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１２７】
また、上記実施の形態及び上記変形例を任意に組み合わせて構築される形態も、本発明の範囲内に含まれる。例えば、上記変形例２または３に、変形例１に係る変形を施したりしてもよい。
【０１２８】
また、上記実施の形態及びその変形例では、集電体の接合部と積層部、または積層部同士は溶接またはかしめによって接合されていることとしたが、接合方法は溶接またはかしめには限定されず、どのような方法によって接合されていてもよい。
【０１２９】
また、上記変形例３では、集電体の接合部と接合されていない内側積層部対に含まれる２つの積層部は接合されていることとしたが、当該２つの積層部は、接合されていなくともかまわない。
【０１３０】
また、上記実施の形態及びその変形例では、積層部は巻回型の電極体における積層部であることとしたが、平板状極板を積層した積層型の電極体における積層部であってもよい。つまり、積層型の電極体における電極の活物質層非形成部が積層された部分を複数に分割して、複数の積層部を形成してもよい。
【産業上の利用可能性】
【０１３１】
本発明は、リチウムイオン二次電池などの蓄電素子等に適用できる。
【符号の説明】
【０１３２】
１０  蓄電素子
１００  容器
１１０  蓋体
１１０ａ、１１０ｂ  貫通孔
１１１  本体
１２０、１２０ａ、１２０ｂ、１２０ｃ  正極集電体
１２１、１２１ｂ  端子接続部
１２１ａ、１３１ａ  貫通孔
１２２、１２２ａ、１２２ｂ、１２３ｂ、１２２ｃ、１２３ｃ、１２４  接合部
１３０、１３０ａ、１３０ｂ、１３０ｃ  負極集電体
１３２、１３２ａ、１３２ｂ、１３３ｂ、１３２ｃ、１３３ｃ  接合部
１４０  第一電極体
１４１  第一正極積層部
１４２  第二正極積層部
１４３  第一負極積層部
１４４  第二負極積層部
１５０  第二電極体
１５１  第三正極積層部
１５２  第四正極積層部
１５３  第三負極積層部
１５４  第四負極積層部
１６０  第三電極体
１６１  第五正極積層部
１６２  第六正極積層部
１６３  第五負極積層部
１６４  第六負極積層部
１７０  第四電極体
１７１  第七正極積層部
１７２  第八正極積層部
１７３  第七負極積層部
１７４  第八負極積層部
２００  正極端子
２１０  突出部
３００  負極端子
３１０  突出部
【図１】
2014182899.tif 000003
【図２】
2014182899.tif 000004
【図３】
2014182899.tif 000005
【図４】
2014182899.tif 000006
【図５】
2014182899.tif 000007
【図６】
2014182899.tif 000008
【図７】
2014182899.tif 000009
【図８】
2014182899.tif 000010
【図９】
2014182899.tif 000011
【図１０】
2014182899.tif 000012
【図１１】
2014182899.tif 000013
【図１２】
2014182899.tif 000014
【図１３】
2014182899.tif 000015
【図１４】
2014182899.tif 000016
【図１５】
2014182899.tif 000017